(57)【要約】      （修正有）【課題】操作者による駆動装置の操作の安全性を損ねることなく、支持体を法面からできるだけ突出しないようにし且つ管理橋を廃止して、建設コストの大幅な削減短縮を図り、河川景観を良好にし、有効河積を広げて増水時の流れを良好にする樋門システムを提供する。【解決手段】河川Ｋに沿い法面Ｓを有した堤防Ｔに設けられるとともに、堤防Ｔを横断して河川Ｋに水を流下させる水路Ｗの止水を行うもので、水路Ｗの通路を開閉する扉１と、堤防Ｔの途中に設けられ扉１を開閉可能に支持する支持体としての門柱２と、操作部２０の操作により扉１を駆動する駆動装置１０とを備え、門柱２を、門柱２の梁４の上面８が閉時の扉１の垂直方向中心線Ｐと法面Ｓとの交点Ｘから上方１ｍの所定高さ位置Ｙよりも下位に位置するように構築し、駆動装置１０の操作部２０を、門柱２よりも上側であって河川Ｋの計画高水位（ＨＷＬ）より上側の堤防Ｔに設けた。【選択図】図１
0003182690.tif 000002
【実用新案登録請求の範囲】
【請求項１】
河川に沿い法面を有した堤防に設けられるとともに該堤防を横断して該河川に水を流下させる水路の止水を行う樋門システムであって、
上記水路の通路を開閉する扉と、上記堤防の途中に設けられ上記扉を開閉可能に支持する支持体と、操作部の操作により上記扉を駆動する駆動装置とを備えた樋門システムにおいて、
上記支持体の上面が上記閉時の扉の垂直方向中心線と上記法面との交点から上方１ｍの所定高さ位置よりも下位に位置するように構築し、
上記駆動装置の操作部を、上記支持体よりも上側であって上記河川の計画高水位より上側の堤防に設けたことを特徴とする樋門システム。
【請求項２】
上記操作部を上記堤防に構築された操作台に設けたことを特徴とする請求項１記載の樋門システム。
【請求項３】
上記駆動装置を、上記支持体に設けられ回転力が伝達されて上記扉を開閉する開閉機構と、上記操作部の操作により上記開閉機構に回転力を伝達する伝達機構とを備えて構成し、該伝達機構を、複数の回転シャフト単体をジョイントを介して連結したシャフト連結体と、上記法面に設けられ上記シャフト連結体の該法面に対向する略全部が該法面に沿うように該シャフト連結体の所要の回転シャフト単体を軸支する複数の軸受部とを備えて構成したことを特徴とする請求項２記載の樋門システム。
【請求項４】
上記法面に上記シャフト連結体の該法面に対向する略全部を覆うカバーを設けたことを特徴とする請求項３記載の樋門システム。
【請求項５】
上記操作部を、入力軸を回転させるハンドホイールと、上記入力軸に連結されて回転させられる入力ギヤ及び上記シャフト連結体の始端の回転シャフト単体に連結されてこれを回転させる出力ギヤを有した減速ギヤ機構と、該減速ギヤ機構を収納する収納ケースと、該収納ケースを上記操作台に支持するスタンドとを備えて構成したことを特徴とする請求項３または４記載の樋門システム。
【請求項６】
上記支持体を上記扉をスライド開閉可能に支持するレールを備えて構成し、上記開閉機構を、上記扉に突設され該扉のスライド方向に沿うネジシャフトと、上記シャフト連結体の終端の回転シャフト単体に連携して回転する入力ギヤ及び上記ネジシャフトが螺合する雌ネジを有し回転により該ネジシャフトを進退動させる出力ギヤを備えたギヤ機構と、該ギヤ機構を上記ネジシャフトが進退動可能になるように収納する収納ケースとを備えて構成したことを特徴とする請求項３乃至５何れかに記載の樋門システム。
【請求項７】
上記支持体を上記扉を上下方向にスライド開閉可能に支持するレールを備えて構成し、上記開閉機構を、上記扉に連結され該扉を吊下する索体と、上記索体が巻回可能な回転リールと、上記シャフト連結体の終端の回転シャフト単体に連携して回転する入力ギヤ及び上記リールに連携して該リールを回転させる出力ギヤを備えたギヤ機構と、該ギヤ機構を収納する収納ケースとを備えて構成したことを特徴とする請求項３乃至５何れかに記載の樋門システム。
【請求項８】
上記支持体に上記扉の上端側を水平方向に軸線を有する回動軸を中心に回動可能に支持し、上記開閉機構を、上記扉の下端側に連結され該扉を牽引可能な索体と、上記索体が巻回可能な回転リールと、上記シャフト連結体の終端の回転シャフト単体に連携して回転する入力ギヤ及び上記リールに連携して該リールを回転させる出力ギヤを備えたギヤ機構と、該ギヤ機構を収納する収納ケースとを備えて構成したことを特徴とする請求項３乃至５何れかに記載の樋門システム。
【請求項９】
上記支持体を、上記水路の両側に立設される一対の側柱及び該側柱の上部間に架設される梁を有した門柱を備えて構成し、上記扉を上記門柱の開口に支持し、上記門柱を、該門柱の梁の上面が上記閉時の扉の垂直方向中心線と上記法面との交点から上方１ｍの所定高さ位置よりも下位に位置するように構築したことを特徴とする請求項１乃至８何れかに記載の樋門システム。
【請求項１０】
少なくとも上記扉が閉じたことを上記操作部の近傍で認知できる認知手段を備えたことを特徴とする請求項１乃至９何れかに記載の樋門システム。
【請求項１１】
上記認知手段を、上記操作部に設けられ上記扉の開度を示す開度計で構成したことを特徴とする請求項１０記載の樋門システム。
【考案の詳細な説明】
【技術分野】
【０００１】
本考案は、河川に沿い法面を有した堤防に設けられるとともに、この堤防を横断して河川に水を流下させる水路の止水を行う樋門システムに関する。
【背景技術】
【０００２】
従来、図９に示すように、一般に樋門システム１００は、例えば、河川Ｋに沿い法面Ｓを有した堤防Ｔに設けられるとともに堤防Ｔを横断して河川Ｋに水を流下させる水路Ｗの止水を行うもので、水路Ｗの通路の出口Ｗａを上下動により開閉する扉１０１を備えている。堤防Ｔの途中には扉１０１を開閉可能に支持する支持体としての門柱１０２が設けられている。扉１０１は門柱１０２の開口１０３に上下動可能に支持されている。門柱１０２は、その上面１０４が河川Ｋの計画高水位（ＨＷＬ）より上側に位置するように堤防Ｔの法面Ｓから突出して構築されており、門柱１０２の上面１０４と堤防Ｔの天端Ｔａとの間には操作者が往来可能な管理橋１０５が設けられている。また、この樋門システム１００は、操作部１０６の操作により扉１０１を機械的に上下駆動する駆動装置１０７を備えており、操作部１０６は門柱１０２の上面１０４に設けられている（例えば、特公平７−８６２１７号公報，特開２００５−２６４５０３号公報等参照）。
【０００３】
そして、常時は扉１０１を開にしておき、水路Ｗから河川Ｋに排水する。また、河川Ｋの水位が増加する洪水時等の際、河川Ｋからの水が水路Ｗを逆流する懸念が生じるような場合には、操作者が管理橋１０５を渡って門柱１０２の上部に行き、操作部１０６で駆動装置１０７を操作して扉１０１の開閉度を調整し、必要に応じ、全閉する。操作部１０６は河川Ｋの計画高水位（ＨＷＬ）より上側に位置するので、操作者の安全が確保される。
【先行技術文献】
【特許文献】
【０００４】
【特許文献１】特公平７−８６２１７号公報
【特許文献２】特開２００５−２６４５０３号公報
【考案の概要】
【考案が解決しようとする課題】
【０００５】
ところで、この従来の樋門システム１００においては、支持体としての門柱１０２が、その上面１０４が河川の計画高水位（ＨＷＬ）より上側に位置するように法面Ｓから高く突出して構築されるので、操作者の安全性が確保されてはいるものの、門柱１０２が高く構築されしかも管理橋１０５も構築されることから、それだけ、建設コストが高く工事期間も長くなっているという問題があった。また、樋門構造体の重量が大きいので軟弱地盤等における構造体の沈下の問題も生じる。更にまた、門柱１０２や管理橋１０５を有すると河川景観に及ぼす影響が大きいという問題もある。
また、この従来の樋門システム１００においては、門柱１０２が法面Ｓより高く突出して構築されるので、計画高水位（ＨＷＬ）より下側の有効河積を狭めてしまい、河川Ｋの水位が増加した際に、河川Ｋの流れの抵抗になって悪影響を及ぼすという問題があった。特に、洪水時に流木等の漂流物が流れてくると、この漂流物が門柱１０２に衝突したり引っ掛かったりし、益々河川Ｋの流れを妨げ、また、門柱１０２や堤防Ｔを損傷することもあるという問題があった。
【０００６】
本考案は、このような問題点に鑑みてなされたもので、操作者による駆動装置の操作の安全性を損ねることなく、支持体を法面からできるだけ突出しないようにし且つ管理橋を廃止して、建設コストの大幅な削減及び工事期間の大幅な短縮を図るとともに、河川景観を良好にし、更には、有効河積を広げて増水時の流れを良好にすることができるようにした樋門システムを提供することを目的とする。
【課題を解決するための手段】
【０００７】
このような目的を達成するため、本考案の樋門システムは、河川に沿い法面を有した堤防に設けられるとともに該堤防を横断して該河川に水を流下させる水路の止水を行う樋門システムであって、上記水路の通路を開閉する扉と、上記堤防の途中に設けられ上記扉を開閉可能に支持する支持体と、操作部の操作により上記扉を駆動する駆動装置とを備えた樋門システムにおいて、
上記支持体の上面が上記閉時の扉の垂直方向中心線と上記法面との交点から上方１ｍの所定高さ位置よりも下位に位置するように構築し、
上記駆動装置の操作部を、上記支持体よりも上側であって上記河川の計画高水位より上側の堤防に設けた構成としている。
【０００８】
これにより、本樋門システムによれば、支持体は従来に比較して低くなり、操作部も河川の計画高水位より上側の堤防に設けるので管理橋が不要になる。そのため、従来に比較して現場施工である鉄筋コンクリート工事が大幅に減少し、管理橋工事もなくなるので、建設コストを大幅に削減することができるとともに工事期間の大幅な短縮が可能となる。また、維持管理費の削減にもつながる。更に、樋門構造体の重量が大きく軽減されることから、軟弱地盤等における構造体の不等沈下の抑制につながる。更に、現場施工分が少なくなり、大部分を工場によって製作することができるようになるので、品質の安定やコストの縮減につながる。更にまた、平成９年河川管理施設等構造令が改正され、河川管理の目的に治水・利水と並んで河川環境の整備と保全が新たに加えられた。従来型の門柱や管理橋を有する樋門の場合、河川景観に及ぼす影響が大きいが、本考案によれば、支持体が低くなるので、景観に対する影響を最小化することが可能となる。
【０００９】
そして、本樋門システムを使用するときは、常時は扉を開にしておき、水路から河川に排水する。また、河川の水位が増加する洪水時等の際、河川からの水が水路を逆流する懸念が生じるような場合には、操作部で駆動装置を操作して扉の開閉度を調整し、必要に応じ、全閉する。この際、操作部は、支持体よりも上側であって河川の計画高水位より上側の堤防に設けられているので、扉を遠隔操作することができ、水位が支持体を超えて計画高水位に近づいても、確実かつ安全に扉の開閉操作を行うことができる。
【００１０】
また、支持体の上面が閉時の扉の垂直方向中心線と法面との交点から上方１ｍの所定高さ位置よりも下位に位置するので、それだけ、有効河積を広げることができる。そのため、河川の水位が増加した際に、支持体が抵抗となって河川の流れを妨げる等の悪影響を防止することができる。特に、洪水時に流木等の漂流物が流れてきても、この漂流物が支持体に衝突したり引っ掛かったりすることがほとんどなくなり、支持体を損傷する事態を防止することができ、また、河川の流れを円滑にすることができる。
【００１１】
そして、必要に応じ、上記操作部を上記堤防に構築された操作台に設けた構成としている。操作者は操作台で作業を行うことができるので、より一層、安全性を確保することができる。
【００１２】
また、必要に応じ、上記駆動装置を、上記支持体に設けられ回転力が伝達されて上記扉を開閉する開閉機構と、上記操作部の操作により上記開閉機構に回転力を伝達する伝達機構とを備えて構成し、該伝達機構を、複数の回転シャフト単体をジョイントを介して連結したシャフト連結体と、上記法面に設けられ上記シャフト連結体の該法面に対向する略全部が該法面に沿うように該シャフト連結体の所要の回転シャフト単体を軸支する複数の軸受部とを備えて構成している。
【００１３】
これにより、シャフト連結体の法面に対向する略全部が、法面に沿うように軸受部に軸支されるので、法面から突出する部分が極めて少なくなり、そのため、河川の水位が増加した際に、シャフト連結体が抵抗となって河川の流れを妨げる等の悪影響を防止することができる。
また、伝達機構がジョイントを介したシャフト連結体を用いるので比較的単純な機構であり、多くを既製部品によって構成することができることから、製造コストを安く抑えることができ、メンテナンスも極めて容易になる。特に、ワイヤやチェーン伝動機構を用いる場合に比較して、定期的な注油の頻度が少なく、錆付きによる早期劣化が少なくなる等、この点でも、メンテナンスが極めて容易になる。また、ワイヤやチェーン伝動機構を用いる場合に比較して、動力伝達効率が良好で、積雪寒冷地における動作不良も低減でき、万一洪水等によって損傷を受けた場合でも機械的機構なので早期復旧が可能になる。
【００１４】
この場合、必要に応じ、上記法面に上記シャフト連結体の該法面に対向する略全部を覆うカバーを設けたことが有効である。カバーで覆われるので、より一層、損傷を防止することができ、維持管理を容易にすることができる。
【００１５】
また、必要に応じ、上記操作部を、入力軸を回転させるハンドホイールと、上記入力軸に連結されて回転させられる入力ギヤ及び上記シャフト連結体の始端の回転シャフト単体に連結されてこれを回転させる出力ギヤを有した減速ギヤ機構と、該減速ギヤ機構を収納する収納ケースと、該収納ケースを上記操作台に支持するスタンドとを備えて構成している。ハンドホイールを回転させるだけの簡単な操作で扉を開閉させることができ、容易に遠隔操作が可能となり、また、手動による機械的操作になるので、停電時においても扉の開閉を行うことができ、緊急時における安全性の確保を確実に行うことができる。
【００１６】
更に、必要に応じ、上記支持体を上記扉をスライド開閉可能に支持するレールを備えて構成し、上記開閉機構を、上記扉に突設され該扉のスライド方向に沿うネジシャフトと、上記シャフト連結体の終端の回転シャフト単体に連携して回転する入力ギヤ及び上記ネジシャフトが螺合する雌ネジを有し回転により該ネジシャフトを進退動させる出力ギヤを備えたギヤ機構と、該ギヤ機構を上記ネジシャフトが進退動可能になるように収納する収納ケースとを備えて構成している。機械的機構なので、扉の開閉を確実に行うことができ、緊急時における安全性の確保を確実に行うことができる。
【００１７】
更にまた、必要に応じ、上記支持体を上記扉を上下方向にスライド開閉可能に支持するレールを備えて構成し、上記開閉機構を、上記扉に連結され該扉を吊下する索体と、上記索体が巻回可能な回転リールと、上記シャフト連結体の終端の回転シャフト単体に連携して回転する入力ギヤ及び上記リールに連携して該リールを回転させる出力ギヤを備えたギヤ機構と、該ギヤ機構を収納する収納ケースとを備えて構成している。機械的機構なので、扉の開閉を確実に行うことができ、緊急時における安全性の確保を確実に行うことができる。
【００１８】
また、必要に応じ、上記支持体に上記扉の上端側を水平方向に軸線を有する回動軸を中心に回動可能に支持し、上記開閉機構を、上記扉の下端側に連結され該扉を牽引可能な索体と、上記索体が巻回可能な回転リールと、上記シャフト連結体の終端の回転シャフト単体に連携して回転する入力ギヤ及び上記リールに連携して該リールを回転させる出力ギヤを備えたギヤ機構と、該ギヤ機構を収納する収納ケースとを備えて構成している。機械的機構なので、扉の開閉を確実に行うことができ、緊急時における安全性の確保を確実に行うことができる。
【００１９】
そしてまた、必要に応じ、上記支持体を、上記水路の両側に立設される一対の側柱及び該側柱の上部間に架設される梁を有した門柱を備えて構成し、上記扉を上記門柱の開口に支持し、上記門柱を、該門柱の梁の上面が上記閉時の扉の垂直方向中心線と上記法面との交点から上方１ｍの所定高さ位置よりも下位に位置するように構築している。支持体を門柱にしたので、扉の支持を確実にすることができる。
【００２０】
また、必要に応じ、少なくとも上記扉が閉じたことを上記操作部の近傍で認知できる認知手段を備えた構成としている。扉が閉じたことを操作部近傍で認知できるので、緊急時における安全性の確保を確実に行うことができる。
【００２１】
この場合、上記認知手段を、上記操作部に設けられ上記扉の開度を示す開度計で構成したことが有効である。開度を見ることができるので、開度調整を容易に行うことができる。
【考案の効果】
【００２２】
本考案によれば、支持体は従来に比較して低くなり、操作部も河川の計画高水位より上側の堤防に設けるので管理橋が不要になる。そのため、従来に比較して現場施工である鉄筋コンクリート工事が大幅に減少し、管理橋工事もなくなるので、建設コストを大幅に削減することができるとともに工事期間の大幅な短縮が可能となる。また、樋門構造体の重量が大きく軽減されることから、軟弱地盤等における構造体の不等沈下を抑制することができる。更に、景観に対する影響を最小化することが可能となる。
【００２３】
また、河川の水位が増加する洪水時等の際、河川からの水が水路を逆流する懸念が生じるような場合には、操作部で駆動装置を操作して扉の開閉度を調整し、必要に応じ、全閉する。この際、操作部は、支持体よりも上側であって河川の計画高水位より上側の堤防に設けられているので、扉を遠隔操作することができ、水位が支持体を超えて計画高水位に近づいても、確実かつ安全に扉の開閉操作を行うことができる。
更に、支持体の上面が閉時の扉の垂直方向中心線と法面との交点から上方１ｍの所定高さ位置よりも下位に位置するので、それだけ、有効河積を広げることができる。そのため、河川の水位が増加した際に、支持体が抵抗となって河川の流れを妨げる等の悪影響を防止することができる。特に、洪水時に流木等の漂流物が流れてきても、この漂流物が支持体に衝突したり引っ掛かったりすることがほとんどなくなり、支持体を損傷する事態を防止することができ、また、河川の流れを円滑にすることができる。
【図面の簡単な説明】
【００２４】
【図１】本考案の実施の形態に係る樋門システムをその構築状態とともに示す断面図である。
【図２】本考案の実施の形態に係る樋門システムをその構築状態とともに示す正面図である。
【図３】本考案の実施の形態に係る樋門システムにおいて、駆動装置の操作部の設置状態を示す拡大図である。
【図４】本考案の実施の形態に係る樋門システムにおいて、駆動装置の伝達機構の一部を示す拡大図である。
【図５】本考案の実施の形態に係る樋門システムにおいて、伝達機構の軸受部を示す図４中Ａ−Ａ線相当断面図である。
【図６】本考案の実施の形態に係る樋門システムにおいて、駆動装置の開閉機構を示す図である。
【図７】本考案の実施の形態に係る樋門システムにおいて、駆動装置の操作部の構成を示す一部切欠き断面図である。
【図８】本考案の実施の形態に係る樋門システムにおいて、駆動装置の開閉機構の変形例を模式的に示す斜視図である。
【図９】従来の樋門システムの一例をその構築状態とともに示す断面図である。
【考案を実施するための形態】
【００２５】
以下、添付図面に基づいて本考案の実施の形態に係る樋門システムについて説明する。
図１乃至図７に示すように、実施の形態に係る樋門システムＧは、河川Ｋに沿い法面Ｓを有した堤防Ｔに設けられるとともに、堤防Ｔを横断して河川Ｋに水を流下させる水路Ｗの止水を行うものである。水路Ｗは横断面が矩形あるいは円形のコンクリート製のものであり、堤防Ｔ内に埋設されている。堤防Ｔの縁部から水路Ｗの出口Ｗａにかけては、切り込み部Ｔｂが設けられている。この切り込み部Ｔｂの表面及び法面Ｓの表面は、流れ方向に沿う所定の幅に亘り、被覆コンクリートＣで覆われた所謂コンクリート護岸に形成されている。
【００２６】
実施の形態に係る樋門システムＧは、水路Ｗの通路の出口Ｗａを開閉する扉１と、堤防Ｔの途中（実施の形態では水路Ｗの出口Ｗａ部分）に設けられ扉１を開閉可能に支持する支持体としての門柱２と、操作部２０の操作により扉１を駆動する駆動装置１０とを備えている。
支持体としての門柱２は、水路Ｗの両側に立設される一対の側柱３及び側柱３の上部間に架設される梁４を有して構成されている。そして、扉１は門柱２の開口５に支持されている。詳しくは、門柱２の側柱３内側には、扉１を上下方向にスライド開閉可能に支持する一対のレール６が設けられている。扉１の左右にはこのレール６を転動するローラ７が設けられている。
そして、門柱２は、門柱２の梁４の上面８が、閉時の扉１の垂直方向中心線Ｐと法面Ｓとの交点Ｘから上方１ｍの所定高さ位置Ｙよりも下位に位置するように構築されている。即ち、交点Ｘと門柱２の上面８との間の高さＨがＨ≦１ｍに設定されている。
【００２７】
また、図１乃至図３に示すように、駆動装置１０において、その操作部２０は、門柱２よりも上側であって河川Ｋの計画高水位（ＨＷＬ）より上側の堤防Ｔに設けられている。この操作部２０は、堤防Ｔに構築され上面２３が堤防Ｔの天端Ｔａより上側に位置するコンクリート製の操作台２２の当該上面２３に設けられている。操作者は、操作台２２の上面２３に堤防Ｔの天端Ｔａから図示外の階段を通して乗ることが可能になっている。操作台２２の上面には、操作部２０の周囲を囲繞し天端Ｔａ側に開閉可能な柵２４が設けられている。
【００２８】
駆動装置１０は、門柱２に設けられ回転力が伝達されて扉１を開閉する開閉機構５０と、操作部２０の操作により開閉機構５０に回転力を伝達する伝達機構３０とを備えて構成されている。
伝達機構３０は、複数のステンレス製の回転シャフト単体３１を、ジョイント（３３，３４）を介して連結したシャフト連結体３２と、法面Ｓの被覆コンクリートＣに設けられシャフト連結体３２の法面Ｓに対向する略全部が、法面Ｓに沿うようにシャフト連結体３２の所要の回転シャフト単体３１を軸支する複数の軸受部３５とを備えて構成されている。
【００２９】
ジョイントとしては、図４に示すように、直線部に設けられる周知のチェーンカップリング３３と、折れ曲がり部に設けられる周知のユニバーサルジョイント３４の２種類が設けられている。図３に示すように、シャフト連結体３２の始端の回転シャフト単体３１及びこれに連結される始端側のいくつかの回転シャフト単体３１は、その軸線が垂直になるように配置され、そのうちの一部の回転シャフト単体３１が操作台２２の前面に軸受部３５により軸支されている。また、図６に示すように、シャフト連結体３２の終端の回転シャフト単体３１は、その軸線が水平になるように配置されている。
【００３０】
軸受部３５は、図４乃至図６に示すように、回転シャフト単体３１を軸支するベアリング３５ａと、ベアリング３５ａを支持する支持板３５ｂとを備えて構成されている。そして、ベアリング３５ａ及び支持板３５ｂからなる単独のものの他に、２つの支持板３５ｂを所定間隔で底板３５ｃにより連結した軸受部３５の組３６を複数用い、法面Ｓの被覆コンクリートＣあるいは操作台２２の前面にアンカーボルト３７で固定してある。
法面Ｓ及び操作台２２の前面２２ａには、シャフト連結体３２の法面Ｓ及び操作台２２の前面２２ａに対向する略全部を覆うカバー３８が設けられている。カバー３８は、図５に示すように、ステンレス製で断面逆Ｕ状で樋状に形成され、アンカーボルト３７で止着されている。
【００３１】
操作部２０は、図３及び図７に示すように、入力軸４１を回転させるハンドホイール４０と、入力軸４１に連結されて回転させられる入力ギヤ４２及びシャフト連結体３２の始端の回転シャフト単体３１に連結されてこれを回転させる出力ギヤ４３を有した減速ギヤ機構４４と、減速ギヤ機構４４を収納する収納ケース４５と、収納ケース４５を操作台２２に支持するスタンド４６とを備えて構成されている。減速ギヤ機構４４は、例えば、ベベルギヤ機構で構成されている。
【００３２】
開閉機構５０は、図１，図２及び図６に示すように、扉１の上端中央に突設され扉１のスライド方向に沿うネジシャフト５１と、シャフト連結体３２の終端の回転シャフト単体３１に連携して回転する入力ギヤ５２及びネジシャフト５１が螺合する雌ネジ５３を有し回転によりネジシャフト５１を進退動させる出力ギヤ５４を備えたギヤ機構５５と、ギヤ機構５５をネジシャフト５１が進退動可能になるように収納する収納ケース５６とを備えて構成されている。ギヤ機構５５は例えばベベルギヤ機構で構成されている。収納ケース５６は門柱２の上面８に取り付けられており、ネジシャフト５１は門柱２の梁４に設けた貫通孔５７に挿通されている。また、ネジシャフト５１は、水路Ｗの出口Ｗａの上部に固定されたガイド部材５８に進退動可能にガイドされている。
【００３３】
また、本樋門システムＧにおいては、少なくとも扉１が閉じたことを操作部２０の近傍で認知できる認知手段を備えている。認知手段は、図３に示すように、操作部２０の減速ギヤ機構４４に連携して作動し、扉１の開度を示す開度計６０で構成されている。
【００３４】
従って、この実施の形態に係る樋門システムＧを構築すると、支持体としての門柱２は従来に比較して低くなり、操作部２０も河川Ｋの計画高水位（ＨＷＬ）より上側の堤防Ｔに設けるので管理橋が不要になる。そのため、従来に比較して現場施工である鉄筋コンクリート工事が大幅に減少し、管理橋工事もなくなるので、建設コストを大幅に削減することができるとともに工事期間の大幅な短縮が可能となる。また、維持管理費の削減にもつながる。更に、樋門構造体の重量が大きく軽減されることから、軟弱地盤等における構造体の不等沈下の抑制につながる。更に、現場施工分が少なくなり、大部分を工場によって製作することができるようになるので、品質の安定やコストの縮減につながる。更にまた、平成９年河川管理施設等構造令が改正され、河川管理の目的に治水・利水と並んで河川環境の整備と保全が新たに加えられた。従来型の門柱や管理橋を有する樋門の場合、河川景観に及ぼす影響が大きいが、本考案によれば、門柱が低くなるので、景観に対する影響を最小化することが可能となる。
【００３５】
そして、本樋門システムＧを使用するときは、常時は扉１を開にしておき、水路Ｗから河川Ｋに排水する。また、河川Ｋの水位が増加する洪水時等の際、河川Ｋからの水が水路Ｗを逆流する懸念が生じるような場合には、操作者が操作台２２の上面２３に乗り、開度計６０を見ながら操作部２０のハンドホイール４０を回転させ扉１の開閉度を調整し、必要に応じ、全閉する。この際、操作部２０は、支持体としての門柱２よりも上側であって河川Ｋの計画高水位（ＨＷＬ）より上側の堤防Ｔに設けられているので、扉１を遠隔操作することができ、水位が門柱２を超えて計画高水位（ＨＷＬ）に近づいても、確実かつ安全に扉１の開閉操作を行うことができる。
【００３６】
また、操作部２０においては、ハンドホイール４０を回転させるだけの簡単な操作で扉１を開閉させることができ、容易に遠隔操作が可能となり、手動による機械的操作になるので、また、伝達機構３０及び開閉機構５０においても、機械的機構なので、扉１の開閉を確実に行うことができ、停電時においても扉１の開閉を行うことができ、緊急時における安全性の確保を確実に行うことができる。更に、開度計６０で開度を見ることができるので、開度調整を容易に行うことができるとともに、扉１が閉じたことを操作部２０近傍で認知できるので、より一層、緊急時における安全性の確保を確実に行うことができる。
【００３７】
また、門柱２の梁４の上面８が閉時の扉１の垂直方向中心線Ｐと法面Ｓとの交点Ｘから上方１ｍの所定高さ位置Ｙよりも下位に位置するので、それだけ、有効河積を広げることができる。そのため、河川Ｋの水位が増加した際に、門柱２が抵抗となって河川Ｋの流れを妨げる等の悪影響を防止することができる。特に、洪水時に流木等の漂流物が流れてきても、この漂流物が門柱２に衝突したり引っ掛かったりすることがほとんどなくなり、門柱２を損傷する事態を防止することができ、また、河川Ｋの流れを円滑にすることができる。
また、シャフト連結体３２においても、その法面Ｓに対向する略全部が、法面Ｓに沿うように軸受部３５に軸支されるので、法面Ｓから突出する部分が極めて少なくなり、そのため、河川Ｋの水位が増加した際に、シャフト連結体３２が抵抗となって河川Ｋの流れを妨げる等の悪影響を防止することができる。
【００３８】
また、伝達機構３０がシャフト連結体３２を用いるので比較的単純な機構であり、多くを既製部品によって構成することができることから、製造コストを安く抑えることができ、メンテナンスも極めて容易になる。特に、ワイヤやチェーン伝動機構を用いる場合に比較して、定期的な注油の頻度が少なく、錆付きによる早期劣化が少なくなる等、この点でも、メンテナンスが極めて容易になる。また、ワイヤやチェーン伝動機構を用いる場合に比較して、動力伝達効率が良好で、積雪寒冷地における動作不良も低減でき、万一洪水等によって損傷を受けた場合でも機械的機構なので早期復旧が可能になる。更に、シャフト連結体３２はカバー３８で覆われるので、より一層、損傷を防止することができ、維持管理を容易にすることができる。
【００３９】
図８（ａ）には、開閉機構５０の変形例を示している。これは、扉１に連結され扉１を吊下する索体７０と、索体７０が巻回可能な回転リール７１と、シャフト連結体３２の終端の回転シャフト単体３１に連携して回転する入力ギヤ７２及びリール７１に連携してリール７１を回転させる出力ギヤ７３を備えたギヤ機構７４と、門柱２の上面に設けられギヤ機構７４を収納する収納ケース７５とを備えて構成されている。これによっても、上記と同様の作用，効果を奏する。
【００４０】
図８（ｂ）には、別の実施の形態に係る樋門システムＧを示している。これは上記とほぼ同様に形成されるが、上記と異なって、扉１を、門柱２に対してその上端側を水平方向に軸線を有する回動軸８０を中心に回動可能に支持している。そして、開閉機構５０を、上記と同様に、扉１の下端側に連結され扉１を牽引可能な索体７０と、索体７０が巻回可能な回転リール７１と、シャフト連結体３２の終端の回転シャフト単体３１に連携して回転する入力ギヤ７２及びリール７１に連携してリール７１を回転させる出力ギヤ７３を備えたギヤ機構７４と、門柱２の上面に設けられギヤ機構７４を収納する収納ケース７５とを備えて構成している。これによっても、上記と同様の作用，効果を奏する。
【００４１】
尚、上記実施の形態において、認知手段を開度計６０で構成したが、必ずしもこれに限定されるものではなく、例えば、認知手段を、支持体（門柱２）に設けられ少なくとも扉１が閉じたことを検知して検知信号を送出する検知器と、操作部２０の近傍に設けられ検知器からの検知信号に基づいて点灯するランプとを備えて構成することができる。この場合、ランプの電源を操作部２０の近傍に設けられソーラ発電機及びバッテリを備えて構成することができる。また、認知手段を、扉１を映す鏡で構成し、鏡を操作部２０の近傍から視認可能に支持部（門柱２）に設けて構成することができる。更にまた、認知手段を、支持体（門柱２）に設けられ扉１の像が入力される入力部と、操作部２０の近傍に設けられ扉１の像を出力する出力部と、入力部と出力部との間に設けられ扉１の像を伝達するファイバースコープとを備えて構成することができる等、適宜のものを用いることができる。
【００４２】
尚また、上記実施の形態において、扉１を支持体としての門柱２に支持したが、必ずしもこれに限定されるものではなく、特に門柱２を設けなくてもよい。この場合には、支持体を、例えば、水路Ｗの入口Ｗａに設けられる上記と同様のレールと、水路Ｗの上部の堤防Ｔに設けられ開閉機構５０を支持する支持台（門柱２の梁４に相当する部分のみ）とを備えて構成してよく、適宜変更して差し支えない。また、支持体の上面を法面Ｓよりも下位に位置するようにしてもよく、適宜変更して差し支えない。
【００４３】
また、上記実施の形態において、操作部２０の減速ギヤ機構４４や開閉機構５０のギヤ機構５５は、上述したベベルギヤ機構に限定されるものではなく、例えば、ウォームとウォームホイールで構成し、あるいは、複数のギヤ、例えば、２以上の平ギヤ列で構成する等適宜変更して差し支えない。また、上記駆動装置１０の操作部２０，伝達機構３０及び開閉機構５０は、上述した機構に限定されるものではなく、適宜変更して良いことは勿論である。
【符号の説明】
【００４４】
Ｇ  樋門システム
Ｋ  河川
Ｓ  法面
Ｔ  堤防
Ｔａ  天端
Ｔｂ  切り込み部
Ｃ  被覆コンクリート
ＨＷＬ  計画高水位
１  扉
２  門柱（支持体）
３  側柱
４  梁
６  レール
７  ローラ
８  上面
Ｐ  閉時の扉２の垂直方向中心線
Ｘ  垂直方向中心線Ｐと法面Ｓとの交点
Ｙ  交点Ｘから上方１ｍの所定高さ位置
Ｈ  交点Ｘと門柱２の上面８との間の高さ
１０  駆動装置
２０  操作部
２２  操作台
３０  伝達機構
３１  回転シャフト単体
３２  シャフト連結体
３３  チェーンカップリング（ジョイント）
３４  ユニバーサルジョイント（ジョイント）
３５  軸受部
３８  カバー
４０  ハンドホイール
４１  入力軸
４４  減速ギヤ機構
４５  収納ケース
４６  スタンド
５０  開閉機構
５１  ネジシャフト
５３  雌ネジ
５５  ギヤ機構
５６  収納ケース
５８  ガイド部材
６０  開度計（認知手段）
７０  索体
７１  回転リール
７４  ギヤ機構
７５  収納ケース
８０  回動軸
【図１】
0003182690.tif 000003
【図２】
0003182690.tif 000004
【図３】
0003182690.tif 000005
【図４】
0003182690.tif 000006
【図５】
0003182690.tif 000007
【図６】
0003182690.tif 000008
【図７】
0003182690.tif 000009
【図８】
0003182690.tif 000010
【図９】
0003182690.tif 000011